【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
実行中のアプリケーションの表示を制御する情報処理装置において、
前記アプリケーションのプロセスに対応する情報が配置される多次元仮想空間において、前記情報である第１の情報をアクティブな状態にするために、前記多次元仮想空間に配置された前記第１の情報を前記多次元仮想空間上の位置によって識別し、選択する選択手段と、
前記選択手段により選択された前記第１の情報に対応するプロセスの表示画像を表示するように制御する表示制御手段と
を備えることを特徴とする情報処理装置。
【請求項２】
前記アプリケーションのプロセスに対応する情報は、前記プロセスの表示画像であり、前記多次元仮想空間は、複数の前記表示画像により構成され、
前記選択手段は、前記表示画像の内いずれか１つを選択し、
前記表示制御手段は、前記選択手段により選択された前記表示画像を、アクティブな状態のプロセスの表示画像として、予め設けられた所定の表示領域に表示するように制御する
ことを特徴とする請求項１に記載の情報処理装置。
【請求項３】
前記多次元仮想空間の任意の位置に前記情報を配置する配置手段をさらに備える
ことを特徴とする請求項１に記載の情報処理装置。
【請求項４】
所定の方向ボタンにより構成され、ユーザが前記ボタンを操作することにより入力される前記情報の選択指示であって、前記ユーザの操作に応じて移動される指定枠の前記多次元仮想空間における位置によって、前記多次元仮想空間に配置された前記情報の１つを選択する選択指示を受け付ける選択指示受付手段をさらに備え、
前記選択手段は、前記選択指示受付手段により受け付けられた前記選択指示に基づいて前記情報を選択する
ことを特徴とする請求項１に記載の情報処理装置。
【請求項５】
前記多次元仮想空間の構成または形状を更新する更新手段をさらに備える
ことを特徴とする請求項１に記載の情報処理装置。
【請求項６】
前記多次元仮想空間の次元数を決定する次元数決定手段をさらに備え、
前記更新手段は、前記次元数決定手段により決定された次元数の前記多次元仮想空間を構成する２次元仮想空間毎に、前記構成または前記形状を更新する
ことを特徴とする請求項５に記載の情報処理装置。
【請求項７】
前記表示制御手段は、前記多次元仮想空間における、前記選択手段により選択されている前記情報が配置された位置を示す情報をさらに表示するように制御する
ことを特徴とする請求項１に記載の情報処理装置。
【請求項８】
実行中のアプリケーションの表示を制御する情報処理装置の情報処理方法であって、
前記アプリケーションのプロセスに対応する情報が配置される多次元仮想空間において、前記情報である第１の情報に対応するプロセスをアクティブな状態にするために、前記多次元仮想空間に配置された前記第１の情報を前記多次元仮想空間上の位置によって識別し、選択する選択ステップと、
前記選択ステップの処理により選択された前記第１の情報に対応するプロセスの表示画像を表示するように制御する表示制御ステップと
を含むことを特徴とする情報処理方法。
【請求項９】
実行中のアプリケーションの表示を制御する処理を、コンピュータに行わせるプログラムにおいて、
前記アプリケーションのプロセスに対応する情報が配置される多次元仮想空間において、前記情報である第１の情報に対応するプロセスをアクティブな状態にするために、前記多次元仮想空間に配置された前記第１の情報を前記多次元仮想空間上の位置によって識別し、選択する選択ステップと、
前記選択ステップの処理により選択された前記第１の情報に対応するプロセスの表示画像を表示するように制御する表示制御ステップと
を含むことを特徴とするプログラム。
【手続補正２】
【補正対象書類名】明細書
【補正対象項目名】００１０
【補正方法】変更
【補正の内容】
【００１０】
本発明の情報処理装置は、アプリケーションのプロセスに対応する情報が配置される多次元仮想空間において、情報である第１の情報に対応するプロセスをアクティブな状態にするために、多次元仮想空間に配置された第１の情報を多次元仮想空間上の位置によって識別し、選択する選択手段と、選択手段により選択された第１の情報に対応するプロセスの表示画像を表示するように制御する表示制御手段とを備えることを特徴とする。
【手続補正３】
【補正対象書類名】明細書
【補正対象項目名】００１１
【補正方法】変更
【補正の内容】
【００１１】
前記アプリケーションのプロセスに対応する情報は、プロセスの表示画像であり、多次元仮想空間は、複数の表示画像により構成され、選択手段は、表示画像の内いずれか１つを選択し、表示制御手段は、選択手段により選択された表示画像を、アクティブな状態のプロセスの表示画像として、予め設けられた所定の表示領域に表示するように制御することができる。
【手続補正４】
【補正対象書類名】明細書
【補正対象項目名】００１６
【補正方法】変更
【補正の内容】
【００１６】
前記表示制御手段は、多次元仮想空間における、選択手段により選択されている情報が配置された位置を示す情報をさらに表示するように制御することができる。
【手続補正５】
【補正対象書類名】明細書
【補正対象項目名】００１９
【補正方法】変更
【補正の内容】
【００１９】
本発明の情報処理装置および方法、並びにプログラムにおいては、アプリケーションのプロセスに対応する情報が配置される多次元仮想空間において、情報である第１の情報に対応するプロセスをアクティブな状態にするために、多次元仮想空間に配置された第１の情報が多次元仮想空間上の位置によって識別されて選択され、その選択された第１の情報に対応するプロセスの表示画像を表示するように制御が行われる。
【手続補正６】
【補正対象書類名】明細書
【補正対象項目名】００２３
【補正方法】変更
【補正の内容】
【００２３】
本発明においては、実行中のアプリケーションの表示を制御する情報処理装置（例えば、図１の表示制御装置１）が提供される。この情報処理装置では、アプリケーションのプロセスに対応する情報が配置される多次元仮想空間（例えば、図３の多次元仮想空間８１）において、情報である第１の情報に対応するプロセスをアクティブな状態にするために、多次元仮想空間に配置された第１の情報を多次元仮想空間上の位置によって識別し、選択する選択手段（例えば、図１２のステップＳ１０４の処理を実行する図５の仮想部分空間別管理部１２２）と、選択手段により選択された第１の情報に対応するプロセスの表示画像を表示するように制御する表示制御手段（例えば、図１のメイン領域表示制御部３１）とを備える。
【手続補正７】
【補正対象書類名】明細書
【補正対象項目名】００２４
【補正方法】変更
【補正の内容】
【００２４】
前記アプリケーションのプロセスに対応する情報は、プロセスの表示画像であり、多次元仮想空間は、複数の表示画像により構成され（例えば、図８のステップＳ３３）、選択手段は、表示画像の内いずれか１つを選択し（例えば、図１２のステップＳ１０４）、表示制御手段は、選択手段により選択された表示画像を、アクティブな状態のプロセスの表示画像として、予め設けられた所定の表示領域に表示するように制御する（例えば、図１２のステップＳ１０５）ようにすることができる。
【手続補正８】
【補正対象書類名】明細書
【補正対象項目名】００２９
【補正方法】変更
【補正の内容】
【００２９】
前記表示制御手段は、多次元仮想空間における、選択手段により選択されている情報が配置された位置を示す情報をさらに表示するように制御する（例えば、図１１のステップＳ７８）ようにすることができる。